(57)【要約】【課題】被写体を束縛せずに自由な雰囲気で撮影でき、好ましい照明効果が得られる写真スタジオ装置を実現する。【解決手段】写真スタジオ装置１は、被写体を、出入り口用の開口部を有する正面壁２、右側壁３、左側壁４、後部壁５、天井６で囲む撮影空間により構成され、右側壁３、左側壁４、正面壁２及び天井６には、被写体を照らす照明用光源（例えば、蛍光灯）が配置され、正面壁２に配置された照明用光源の発光量は、撮影空間全体の発光量の２５％以上５０％以下であり、右側壁３及び左側壁４に配置された照明用光源の発光量は、正面壁以外に設けられた照明用光源全体の発光量の６６％以上８４％以下である。【選択図】図１
2006317751.tif 000002
【特許請求の範囲】
【請求項１】
被写体を、右側壁、左側壁、後部壁、出入り口用の開口部を有する正面壁、天井で囲む撮影空間により構成される写真スタジオ装置であって、
前記右側壁、前記左側壁、前記正面壁及び前記天井には、被写体を照らす照明用光源が配置され、
前記正面壁に配置された照明用光源の発光量は、前記撮影空間全体の発光量の２５％以上５０％以下であり、
前記右側壁及び前記左側壁に配置された照明用光源の発光量は、前記正面壁以外に配置された照明用光源全体の発光量の６６％以上８４％以下であることを特徴とする写真スタジオ装置。
【請求項２】
前記照明用光源は、蛍光灯、発光ダイオード、ＥＬ素子のうち、少なくとも１種類の光源ユニットにより構成され、
前記照明用光源の被写体側の側面に、当該照明用光源からの光を拡散させる光源拡散部が配置されることを特徴とする請求項１に記載の写真スタジオ装置。
【請求項３】
前記照明用光源は、撮影時の調光状態である撮影モードと、非撮影時の調光状態であるプレゼンテーションモードを有し、
前記照明用光源が撮影モードであるかプレゼンテーションモードであるかに応じて、当該照明用光源の発光量を調整する調整手段を備えることを特徴とする請求項１又は２に記載の写真スタジオ装置。
【請求項４】
前記撮影空間内に設置され、被写体とともに撮影される撮影アクセサリ毎に、当該撮影空間内の照度に与える影響度を示す照度影響ポイントとともに、色温度及び／又はカラーバランスに与える影響度を示す光質影響ポイントを設定するポイント設定手段と、
撮影アクセサリに設定された照度影響ポイント及び／又は光質影響ポイントに基づいて、被写体の撮影条件と、撮影により得られた画像に施す画像処理条件を設定する条件設定手段と、
を備えることを特徴とする請求項１〜３の何れか一項に記載の写真スタジオ装置。
【請求項５】
前記条件設定手段は、前記撮影条件として、撮影に用いる撮影装置の撮影絞り、シャッタースピードによる機械的調整の条件を設定することを特徴とする請求項４に記載の写真スタジオ装置。
【発明の詳細な説明】
【技術分野】
【０００１】
本発明は、被写体を撮影するための写真スタジオ装置に関する。
【背景技術】
【０００２】
一般に、写真スタジオ装置では、ストロボや写真用白熱電球、写真用蛍光灯等の照明用光源を用いてポートレート撮影が行われている。一般に効果的な照明効果を得る作業は、固定された被写体位置にあわせて、複数のライトを組合せ、適切な照明を得る必要があり、多大な工数、労力を要する。このような撮影方法は被写体の位置、ポーズをあらかじめ決定し、被写体にポーズを強要するため、撮影に慣れていない一般の人物を撮影する場合、非常に硬い表情の写真となりやすい。
【０００３】
特に、被写体が乳幼児の場合、ポーズの強要そのものが困難となり、良好な撮影結果が得られない場合が多々あった。また、乳幼児を撮影する場合、形式的な、一般に「型物」と呼ばれる旧来の記念写真ではなく、より自然な、生き生きとした表情、動きを撮影するのが好まれるが、実際のところ、このような撮影は困難であった。
【０００４】
そこで、被写体を束縛せずに自由な雰囲気で撮影できるよう、均質な照明下で撮影する写真スタジオ装置が提案されている。特許文献１では、拡散光を発する箱状の光源部を、写真スタジオ装置の天井に複数、分散して配置し、写真スタジオ装置内のどこにいても露出の変動が少ない撮影を可能とする技術が開示されている。また、特許文献２では、壁面発光体で被写体を囲むことで影の無い良好な写真を簡単に撮影可能な技術が開示されている。
【特許文献１】特開２００４−５４０７１号公報
【特許文献２】特開２００５−３１５１１号公報
【発明の開示】
【発明が解決しようとする課題】
【０００５】
しかしながら、特許文献１に開示された技術では、撮影用の照明は、写真スタジオ装置内の拡散光を除き、天井からの光のみであるため、適正露出での撮影はできても、瞳に充分なキャッチライトが入らず、また、特に床面の明るさが減少する傾向があるため、被写体の生き生きとした表情を生かす照明効果が得られず、満足度の高い撮影結果が得られるものではなかった。また、特許文献２に開示された技術では、強い影の無い写真が得られるとしているが、被写体が動いた場合の照明条件の変動が大きく、必ずしも簡単な撮影ができるとは言えない状況であった。
【０００６】
本発明の課題は、被写体を束縛せずに自由な雰囲気で撮影でき、好ましい照明効果が得られる写真スタジオ装置を実現することである。
【課題を解決するための手段】
【０００７】
上記課題を解決するため、請求項１に記載の発明は、被写体を、右側壁、左側壁、後部壁、出入り口用の開口部を有する正面壁、天井で囲む撮影空間により構成される写真スタジオ装置であって、前記右側壁、前記左側壁、前記正面壁及び前記天井には、被写体を照らす照明用光源が配置され、前記正面壁に配置された照明用光源の発光量は、前記撮影空間全体の発光量の２５％以上５０％以下であり、前記右側壁及び前記左側壁に配置された照明用光源の発光量は、前記正面壁以外に配置された照明用光源全体の発光量の６６％以上８４％以下であることを特徴としている。
【０００８】
請求項２に記載の発明は、請求項１に記載の写真スタジオ装置において、前記照明用光源は、蛍光灯、発光ダイオード、ＥＬ素子のうち、少なくとも１種類の光源ユニットにより構成され、前記照明用光源の被写体側の側面に、当該照明用光源からの光を拡散させる光源拡散部が配置されることを特徴としている。
【０００９】
請求項３に記載の発明は、請求項１又は２に記載の写真スタジオ装置において、前記照明用光源は、撮影時の調光状態である撮影モードと、非撮影時の調光状態であるプレゼンテーションモードを有し、前記照明用光源が撮影モードであるかプレゼンテーションモードであるかに応じて、当該照明用光源の発光量を調整する調整手段を備えることを特徴としている。
【００１０】
請求項４に記載の発明は、請求項１〜３の何れか一項に記載の写真スタジオ装置において、前記撮影空間内に設置され、被写体とともに撮影される撮影アクセサリ毎に、当該撮影空間内の照度に与える影響度を示す照度影響ポイントとともに、色温度及び／又はカラーバランスに与える影響度を示す光質影響ポイントを設定するポイント設定手段と、撮影アクセサリに設定された照度影響ポイント及び／又は光質影響ポイントに基づいて、被写体の撮影条件と、撮影により得られた画像に施す画像処理条件を設定する条件設定手段と、を備えることを特徴としている。
【００１１】
請求項５に記載の発明は、請求項４に記載の写真スタジオ装置において、前記条件設定手段は、前記撮影条件として、撮影に用いる撮影装置の撮影絞り、シャッタースピードによる機械的調整の条件を設定することを特徴としている。
【発明の効果】
【００１２】
請求項１に記載の発明によれば、開口部を有する開放的な写真スタジオ装置で、被写体が自由に動き回っても、安定した露出と良好な照明効果を得ることができる。
【００１３】
請求項２に記載の発明によれば、照明用光源からの光を拡散させる光源拡散部を用いることにより、光量配置を簡潔に行うことができる。
【００１４】
請求項３に記載の発明によれば、非撮影時における照明用光源の発光量と室温上昇を抑えることができる。また、非撮影状態でも、ある程度の発光量を維持できるので、電源投入後、照明用光源が安定するまでの時間が短縮でき、撮影開始までの待ち時間が短縮される。また、調光状態を効果的に生かし、写真スタジオ装置の外に向けた広告、営業告知効果が期待できる。
【００１５】
請求項４に記載の発明によれば、写真スタジオ装置内に持ち込まれる各種撮影アクセサリが撮影に及ぼす影響度を事前に把握し、容易に対応することができる。
【００１６】
請求項５に記載の発明によれば、撮影条件に基づく大まかな調整と、画像処理条件に基づく微調整により、高画質な画像を得ることができる。
【発明を実施するための最良の形態】
【００１７】
以下、図面を参照して、本発明の実施形態を説明する。
まず、本実施形態における構成について説明する。
【００１８】
図１に、本発明の実施形態に係る写真スタジオ装置１の概略構成を示す。写真スタジオ装置１は、図１に示すように、出入り口用の開口部を有する正面壁２、右側壁３、左側壁４、後部壁５及び天井６で囲まれた撮影空間により構成される。なお、以下では、正面壁２、右側壁３、左側壁４、後部壁５は、何れも写真スタジオ装置１の内壁を表すものとする。
【００１９】
右側壁３、左側壁４及び天井６は、それぞれ略同一の面積であり、開口部を除く正面壁２の面積は、右側壁３、左側壁４及び天井６の何れか１つの壁面の６０％以下である。また、床面及び後部壁５は略白色の拡散面である。正面壁２、右側壁３、左側壁４、後部壁５、天井６及び床面は互いに隣接し、略直方体の形状を有する。このような撮影空間（写真スタジオ装置１の内側の撮影領域）として、例えば、図１に示すように、横幅が２．０８ｍ、奥行きが２．３８ｍ、高さが２．２８ｍ、出入り口用の開口部の幅が１．０８ｍの直方体の空間を適用することができる。なお、図１では、後部壁５と右側壁３及び左側壁４との接合部、正面壁２と右側壁３及び左側壁４との接合部を９０度とし、撮影空間の形状が直方体である場合を示しているが、当該接合部の角度を変えて設計してもよい。例えば、正面壁２の、開口部を挟んだ２つの壁面を、写真スタジオ装置１の中央部に向けて配置してもよい。また、各接合部にＲ付け（壁面接合部を曲線状に滑らかに連結する）してもよい。
【００２０】
正面壁２、右側壁３、左側壁４及び天井６には、被写体を照らす照明用光源が配置されている。以下、各壁面に配置される照明用光源の発光量について説明する。表１に、各壁面の照明用光源の発光量比率と、発光量比率毎に撮影品質を評価した結果（実撮影による官能評価の結果）を示す。
【表１】
2006317751.tif 000003
発光量比率Ａ：全光量に占める正面壁発光量の割合；
発光量比率Ｂ：正面壁発光量を除いた全光量に占める左側壁又は右側壁の発光量の割合（左側壁と右側壁の各壁面は同一光量）；
◎：非常に好ましい；
○：好ましい（商品ポートレートとして通常許容）；
△：やや問題あり（商品ポートレートとして不満足）；
×：問題あり（商品ポートレートとして不適格）．
【００２１】
表１は、発光量比率（発光量比率Ａ、発光量比率Ｂ）毎に、３項目「正面」、「俯瞰」、「背景」の評価結果を表したもので、１２種類の評価結果（水準１〜１２）からなる。「正面」項目は、人物（被写体）を入り口側に向かせ、入り口側から撮影したときの評価結果を表し、「俯瞰」項目は、人物を寝かせ、斜め上方から撮影した時の評価結果を表し、「背景」項目は、正面撮影時の背景の明るさ（適度な飛び過ぎない白で、且つ、被写体等の影が写らないことが好ましい）の評価結果を表す。
【００２２】
表１によると、発光量比率Ｂが極端に高い水準９〜１２の場合（即ち、天井光が少ない）、俯瞰撮影時の顔正面の露出がアンダー傾向となり、好ましくない。また、発光量比率Ａが極端に小さい場合、正面撮影時の顔正面の露出がアンダー傾向となり、好ましくない。更に、発光量比率Ａが極端に大きい場合、俯瞰撮影時の顔へのライティング状態が好ましくなく、良好な撮影結果が得られない。また、水準２、水準３は、撮影空間内の撮影位置によって適正露出が変動し、充分好ましい撮影結果が得らない。水準６、水準７のように照明用光源の発光量をコントロールすると、各々の評価項目で「好ましい」又は「非常に好ましい」という評価結果となり、特に、水準７の発光量比率を適用するのが最も好ましいことがわかる。
【００２３】
即ち、撮影空間の光量配分を以下のようにすることが好ましい。
（ａ）正面壁の照明用光源：全光量の２５％以上５０％以下、好ましくは３３％以上５０％以下；
（ｂ）左側壁の照明用光源、右側壁の照明用光源の各々：正面壁を除く全光量の３３％以上４２％以下（左右合わせた光量で６６％以上８４％以下）；
（ｃ）天井の照明用光源：残りの光量．
【００２４】
写真スタジオ装置１を、表１の水準７に示すような光量配分とすることにより、非常に安定度の高い撮影露出を得ることができる。図２及び図３に、光量配分として水準７を採用した場合の、適正露出値の測定結果を示す。図２（ａ）は撮影空間を上から見た図、図２（ｂ）は、撮影空間を正面（入り口）から見た図であり、図中の丸印は露出計による測定ポイントを表す。測定ポイントは、図２に示すように、正面から見て９点あり、これら９点の各々について、正面に近い側（手前）、遠い側（奥）の２箇所ある。即ち、測定ポイントの合計は１８点である。
【００２５】
図３に、各々の測定ポイントについて、露出計測定面を正面側（被写体が起きている状態を想定）と天井側（被写体が寝ている状態を想定）で２回測定した結果を示す。図３において、測定結果は、測定代表値からの偏差を示しており、撮影で頻繁に用いられるＥｖ値で表されている。これらの偏差は、一般に０．２Ｅｖ程度であれば非常に良好な撮影結果が得られる。図３では、全ての測定点で、良好な撮影結果を得られる条件を満たしており、被写体が起きたり、寝たり、自由に動いたりしても、安定性の高い撮影結果が得られることが分かる。
【００２６】
このように、写真スタジオ装置１の光量配分を表１の水準７のようにすることにより、開口部を有する開放的なスタジオで、被写体（例えば、乳幼児）が自由に動き回っても、安定した露出と良好な照明効果を得ることができる。
【００２７】
写真撮影用の蛍光灯を用いる場合、撮影空間の各壁面には、例えば、以下のような構成で蛍光灯が配置される。
正面壁：４０Ｗ型蛍光灯、左右各７本、計１４本；
右側壁、左側壁：４０Ｗ型蛍光灯、各々７本；
天井：４０Ｗ型蛍光灯、５本．
【００２８】
このような構成で、照明用光源として直管蛍光灯を配置した例を図４〜図６に示す。
図４に、正面壁２に配置された照明用光源の一例を示す。正面壁２の左右には、上部の光源ブロックに蛍光灯７ａ〜７ｃ、下部の光源ブロックに蛍光灯７ｄ〜７ｇが配置され、各光源ブロックの蛍光灯を覆うように、蛍光灯からの光を拡散・透過させる光源拡散部８ａ，８ｂが配置されている。蛍光灯７ａ〜７ｇは、その長手方向が鉛直方向になるように配置されている。光源拡散部８ａは、蝶番等の開閉部９ａ，９ｂにより正面壁２の上部の壁面に開閉可能に結合され、光源拡散部８ｂは、開閉部９ｃ，９ｄにより正面壁２の下部の壁面に開閉可能に結合されている。また、正面壁２の照明用光源の非発光時における発光面の壁面反射率が、マンセル表色系による表記でＮ７．０程度の中性色グレーに見えるように設計される。なお、壁面反射率の調整は、光源拡散部８ａ，８ｂの光拡散性の強さや、蛍光灯の背面（光源拡散部８ａ，８ｂ側を正面として）の設計（鏡面、白色塗装面、グレー塗装面、背面に部材を置かない背面開放型等）を調整することで実施できる。
【００２９】
図５に、右側壁３及び左側壁４（以下、これらを総称して「左右壁」という。）に配置された照明用光源の一例を示す。左右壁の入り口側上部の光源ブロックには、蛍光灯７ｈが配置され、入り口側下部の光源ブロックには、蛍光灯７ｉ及び７ｊが配置され、各光源ブロックの蛍光灯を覆うように、蛍光灯からの光を拡散・透過させる光源拡散部８ｃ，８ｄが配置されている。左右壁の後部壁側上部の光源ブロックには、蛍光灯７ｋ及び７ｌが配置され、後部壁側下部の光源ブロックには、蛍光灯７ｍ及び７ｎが配置され、各光源ブロックの蛍光灯を覆うように、蛍光灯からの光を拡散・透過させる光源拡散部８ｅ，８ｆが配置されている。蛍光灯７ｈ〜７ｎは、その長手方向が鉛直方向になるように配置されている。
【００３０】
光源拡散部８ｃは、開閉部９ｅ，９ｆにより、左右壁の入り口側上部の壁面に開閉可能に結合され、光源拡散部８ｄは、開閉部９ｇ，９ｈにより、左右壁の入り口側下部の壁面に開閉可能に結合されている。光源拡散部８ｅは、開閉部９ｉ，９ｊにより、左右壁の後部壁側上部の壁面に開閉可能に結合され、光源拡散部８ｆは、開閉部９ｋ，９ｌにより、左右壁の後部壁側下部の壁面に開閉可能に結合されている。また、左右壁の照明用光源の非発光時における発光面の壁面反射率が、マンセル表色系による表記でＮ７．０程度の中性色グレーに見えるように設計される。写真スタジオ装置１が、図１に示すような寸法の場合、後部壁５から０．３ｍの領域を白色反射壁とすると、正面からの撮影で右側壁３や左側壁４の光源が背景に写りこむ機会が減少し、好ましい。同様に、床面から０．３ｍの領域を白色反射壁としてもよく、俯瞰撮影時に、右側壁３や左側壁４の光源が写真背景に写りこむ機会が減少し、好ましい場合が多い。
【００３１】
図４及び図５に示すように、正面壁２及び左右壁では、照明用光源が、その長手方向が鉛直方向になるように配置されることにより、被写体の背景として照明用光源が見えてしまう場合でも、背景として見苦しくなく、且つ、背丈の変化が大きい乳幼児や児童を対象とした場合でも安定した照明効果を実現できる。
【００３２】
被写体が右側壁３又は左側壁４の壁面に極端に近づいた場合、対応する側の正面壁２の照明用光源の発光が、撮影空間全体の照明効果に大きく寄与する。正面壁２の照明用光源の強さが比較的大きい（例えば、光量比で３５％以上）の場合、すっきりとした写真が得られやすいが、正面壁２に近く、右側壁３又は左側壁４の壁面にも近い位置の露出がオーバーになりやすくなる。そこで、このような場合、図５に示すように、右側壁３、左側壁４に配置する照明用光源を、後部壁５に近づくにしたがって高い密度で配置すると好ましく、写真スタジオ装置１内の正面側、角位置まで含む、より広い範囲で、高い安定性を有する露出条件と、すっきりとした照明を両立することができる。このような場合においても、照明用光源を、その長手方向が鉛直方向となるように配置することが好ましく、配置位置を微妙に調整することで、少ない数の照明用光源でも、高い精度で配光の微調整を行うことができる。
【００３３】
図６に、天井６に配置された照明用光源の一例を示す。天井６には、蛍光灯７１〜７５が平行に配置されており、各蛍光灯の長手方向は左右壁の壁面に垂直になっている。各蛍光灯の配置位置は、後部壁５に近くなるほど隣接する蛍光灯の間隔が狭くなり、入り口側に近いほど隣接する蛍光灯の間隔が広くなっている。天井６は吹き抜け構造でよく、非発光時における発光面の壁面反射率が、マンセル表色系による表記でＮ７．０程度の中性色グレーに見えるように設計されることが好ましい。なお、壁面反射率の調整は、蛍光灯の背面（即ち天井）の設計（白色塗装面、グレー塗装面等）を調整することで実施できる。
【００３４】
図４〜図６では、照明用光源として直管蛍光灯を用いる場合を示したが、電球型蛍光灯を用いることも可能である。図７に、正面壁２の照明用光源として電球型蛍光灯７６を用いた場合の配置例を示す。また、図８に、左右壁の照明用光源として丸管蛍光灯７７を用いた場合の配置例を示す。更に、図９に、天井６の照明用光源として丸管蛍光灯７８を用いた場合の配置例を示す。図７に示す電球型蛍光灯７６は、通常の直管蛍光灯、丸管蛍光灯よりも高輝度の光が得られる。
【００３５】
なお、写真スタジオ装置１に使用される照明用光源は蛍光灯に限定されず、例えば、ＬＥＤ（Light Emitting Diode：発光ダイオード）、ＥＬ（Electronic Luminescent）素子等を用いてもよい。近年、照明用途として注目されている白色ＬＥＤは、高出力化が進み、光源として望ましい反面、色調を好ましく再現するために必要となる多様な周波数の光を十分含まない。そこで、図１０に示すように、白色ＬＥＤとともに、光質改善用のＬＥＤとして、Ｒ（赤色）、Ｇ（緑色）、Ｂ（青色）の３色のＬＥＤを適宜配置することが望ましい。例えば、図４〜図６に示すような直管型の照明用光源にする場合、複数のＬＥＤ（赤色、緑色、青色、白色）を図１０（ａ）のように配置し、電球光源型の照明用光源にする場合、複数のＬＥＤを図１０（ｂ）又は（ｃ）のように配置すればよい。また、Ｒ、Ｇ、Ｂの３色のＬＥＤを光質改善用として利用する以外に、後述するプレゼンテーションモード時（図１８参照）に、光源への色づけを目的として利用してもよい。
【００３６】
また、本実施形態における写真スタジオ装置１内の照明用光源の配置は、正面壁２を除く壁面や天井面が、正面壁２と比較して高い輝度を必要としないため、複数種類の照明用光源を併用して配置することも可能である。図１１に、複数種類の照明用光源を併用した場合の、各照明用光源の配置位置を示す。図１１では、正面壁２に、高い集密度で大きな光量の得られる直管蛍光灯、高輝度の光が得られる電球型蛍光灯、ＬＥＤのうち何れか一種類を用い、天井６には、拡散光が得やすい丸管蛍光灯を用い、左右壁に、低輝度でフラットな光が効果的に得られるＥＬ素子を用いた場合を示している。
【００３７】
図１２に、写真スタジオ装置１の制御系の構成を示す。写真スタジオ装置１の制御系は、図１２に示すように、指示入力部１０、表示部１１、記憶部１２、光源監視部１３、撮影制御部１４、給電制御部１５、画像処理部１６、撮影装置１７、電流／光量測定部１８により構成される。
【００３８】
指示入力部１０は、文字入力キー、テンキー、カーソルキー及び各種機能キーを備えたキー入力装置や、マウス等のポインティングデバイス等を備え、キー入力装置やポインティングデバイスの操作による操作信号を撮影制御部１４に出力する。また、指示入力部１０がタッチパネルを備える構成としてもよい。この場合、指示入力部１０のタッチパネルは、表示部１１の表示ディスプレイを覆うように設けられ、電磁誘導式、磁気歪式、感圧式等の座標読み取り原理でタッチ指示された座標を検出し、検出した座標を位置信号として撮影制御部１４に出力する。
【００３９】
表示部１１は、ＬＣＤ（Liquid Crystal Display）、ＣＲＴ（Cathode Ray Tube）等の表示ディスプレイを備え、撮影制御部１４から入力される表示制御信号に従って所要の表示処理を行う。
【００４０】
記憶部１２は、撮影制御部１４により実行される各種制御プログラム、これらの制御プログラムの実行時に使用されるデータを記憶する。例えば、記憶部１２は、被写体とともに撮影される撮影アクセサリ毎に、撮影空間内の照度に与える影響度を示す照度影響ポイントと、色温度及び／又はカラーバランスに与える影響度を示す光質影響ポイントを記憶する。また、記憶部１２は、撮影装置１７により得られた撮影画像を記憶する。
【００４１】
光源監視部１３は、電流／光量測定部１８から入力された照明用光源の最小単位毎（例えば、蛍光灯１本毎）の電流量又は発光量の測定値を監視し、監視結果を撮影制御部１４に出力する。例えば、光源監視部１３は、照明用光源の電流量又は発光量の測定値が測定開始時の値から所定値以上変化した場合、或いは、測定値を一定時間毎に比較し、測定回毎の測定値の変動が一定量を超えた場合を、発光状態の異常とみなし、撮影制御部１４に通知する。このように、光源監視部１３が照明用光源の発光状態を監視することにより、異常が発生した照明用光源を自動的に特定することができる。従って、発光状態を目視で確認する必要がなくなり、撮影時の撮影者の労力を軽減させることができる。
【００４２】
撮影制御部１４は、写真スタジオ装置１の各部の動作を制御する。例えば、撮影制御部１４は、撮影アクセサリ毎に、特定の撮影空間に対して実際に撮影アクセサリが撮影に及ぼす影響を測定した結果である照度影響ポイントと光質影響ポイントを設定し、記憶部１２に記憶する。撮影アクセサリとしては、大型のソファ、じゅうたん、乳幼児の撮影で用いる小型のいす、ボール等がある。撮影アクセサリが光質に影響を及ぼすということは、撮影アクセサリの色によって、撮影空間内の色調が変化することを意味する。例えば、撮影アクセサリが真っ赤なソファである場合、撮影空間内の光が赤味を帯びることで、撮影空間内の色調が変化することを意味する。
【００４３】
実際に被写体を撮影する際、撮影制御部１４は、撮影空間に持ち込まれた撮影アクセサリに取り付けられたＩＤ情報発信部２０から得られた撮影アクセサリ情報に基づいて、当該撮影アクセサリの照度影響ポイントの合算、光質影響ポイントの合算を行い、この合算値に基づいて撮影装置１７に対して撮影条件を設定し、更に、画像処理部１６に対し、撮影装置１７から得られた撮影画像に対する画像処理条件を設定する。
【００４４】
例えば、撮影アクセサリの照度影響ポイントの合算値が大きくなるほど、露出量を増やす方向に撮影装置１７の設定を変えたり、同等の効果を有する画像処理条件を設定すればよい。また、撮影アクセサリの光質影響ポイントの合算値が所定値より大きくなった場合、撮影装置１７のホワイトバランス（又はグレーバランス）調整を行うようにすればよい。
【００４５】
ＩＤ情報発信部２０は、例えば、ＩＣタグにより構成され、図１３に示すように、撮影アクセサリ（図１３では、ソファ）に取り付けられている。ＩＤ情報発信部２０は、撮影アクセサリの識別情報を撮影制御部１４に送信する。
【００４６】
また、撮影制御部１４は、指示入力部１０からの指示等により、正面壁２、右側壁３、左側壁４及び天井６に配置された照明用光源の各々のＯＮ／ＯＦＦを給電制御部１５に指示する。ＯＦＦ状態は、完全なＯＦＦ状態と、弱発光状態に分けられていることが好ましい。例えば、以下のように、各壁面毎に照明用光源のＯＮ／ＯＦＦ状態を制御することができる。
右側壁の照明用光源：ＯＦＦ；
左側壁の照明用光源：ＯＮ；
正面壁の右側壁側の照明用光源：ＯＦＦ（好ましくは弱発光状態）；
正面壁の左側壁側の照明用光源：ＯＮ；
天井の照明用光源：ＯＮ．
【００４７】
このように照明用光源のＯＮ／ＯＦＦ状態を制御することによって、旧来のスタジオ記念写真でよく見られる陰影の強い写真を得ることができる。また、各壁面に配置された各証明用光源の発光量を切り替えることにより、新たな撮影空間を設けることなく、様々な撮影スタイルに対応することができる。
【００４８】
また、撮影制御部１４は、写真スタジオ装置１が撮影状態であるか否かに応じて各照明用光源の発光量の調整を指示する制御信号を給電制御部１５に出力する。具体的には、撮影時の調光状態である撮影モードと、非撮影時の調光状態であるプレゼンテーションモードがあり、撮影モードでは発光量をフルパワーとし、プレゼンテーションモードでは、発光量をゼロにはせずに、ある程度の光量を維持できるようにする。ある程度の光量とは、例えば、フルパワーでの発光に移行する際（プレゼンテーションモードから撮影モードへの移行）に、作業上問題とならない時間内で光量が安定するようなパワーである。
【００４９】
図１４〜図１６に、照明用光源の発光量の調整を行う調光部の構成を示す。
図１４は、照明用光源が蛍光灯である場合の調光部の構成を示す。蛍光灯の場合、調光駆動回路２１によって、高周波の蛍光灯に供給する電力が発生し、その電流量は、給電制御部１５ａにより設定された所定値に制御される。
【００５０】
図１５は、照明用光源がＬＥＤである場合の調光部の構成を示す。ＬＥＤの場合、ＬＥＤに流す電流量を制御するための定電流制御回路２２を備え、この電流量は、給電制御部１５ｂにより設定された所定値に制御される。
【００５１】
図１６は、照明用光源がＥＬ素子である場合の調光部の構成を示す。例えば、直流で発光する有機ＥＬでは、ＥＬ素子に印加する電圧を制御する定電圧制御回路２３を備え、この電圧は、給電制御部１５ｃにより設定された所定値に制御される。ＥＬ素子の場合、高電圧の交流を印加する素子もあり、この場合は、交流の周波数、電圧によって発光量が制御される。
【００５２】
以上のような調光方式を利用することにより、発光量の調整のほか、一時的減光や非発光状態を作り出すことも可能である。
【００５３】
図１７に、照明用光源が蛍光灯である場合の、プレゼンテーションモード及び撮影モードにおける発光強度パターンを示す。また、図１８に、照明用光源がＬＥＤである場合の、プレゼンテーションモード及び撮影モードにおける発光強度パターンを示す。
【００５４】
照明用光源がＬＥＤの場合、プレゼンテーションモード時に、ＲＧＢのＬＥＤを、色づけを目的として効果的に利用することができる。例えば、プレゼンテーションモードにおいて、ＲＧＢ各々の光源の発光周期を変化させて、白色ＬＥＤの発光量を大きく抑制すれば、多彩な光色を得ることができる。
【００５５】
また、ＬＥＤは非常に短い時間で発光量を変化させることができるという特性を利用して、図１８に示すように、撮影モード時においても、撮影時（シャッターレリーズ時）以外の発光強度を抑制し、撮影時のみＬＥＤを最大強度で発光することで、所要電力量を抑えることができる。撮影者が被写体に対する照明状況を観察する上で最も好ましい照明状態は、撮影に適した明るさよりも暗い場合が多く、撮影モードにおいて、図１８に示すような調光制御は大いに有効である。
【００５６】
ＬＥＤの発光強度は、発光中の発熱量に制限があるために限界がある。短時間の発光であれば発熱量が瞬間的に増加しても故障の可能性は低く、ＬＥＤの発光強度を、連続的に点灯させた場合の限界よりも高くすることができるため、より少ない個数のＬＥＤで、照明用光源を構成することができる。
【００５７】
このように、非撮影時のプレゼンテーションモードにおいて、発光量をゼロにはせずに、ある程度の発光量を維持することにより、写真スタジオ装置１における時間平均消費電力が小さくなるため、撮影空間内の温度上昇が抑えられる。また、蛍光灯の場合、蛍光灯本体の温度は、連続発光状態に近い温度で維持されるため、撮影モードに短時間で移行することができる。更に、照明用光源を常にＯＮとすることにより、顧客受け入れ姿勢を店外にアピールする広告機能を果たすことができる。特に、図１７及び図１８に示すように、プレゼンテーションモードにおいて発光量を時系列的に変化させることにより、光のプレゼンテーション能力を高めることができる。
【００５８】
図１２に戻り、給電制御部１５は、撮影制御部１４から入力された制御信号に従って、正面壁２、右側壁３、左側壁４及び天井６に配置された各照明用光源の電源ユニットに供給する電力を制御する。
【００５９】
画像処理部１６は、撮影制御部１４により設定された画像処理条件（図２０のトーンカーブ）に基づいて、撮影画像に対して画像調整処理を施し、出力する。
【００６０】
撮影装置１７は、デジタルカメラ等であり、撮影制御部１４により設定された撮影条件に基づいて被写体を撮影し、撮影により得られた画像（撮影画像）を撮影制御部１４に出力する。
【００６１】
電流／光量測定部１８は、電流計及び／又は測光センサを有する。電流計は、正面壁２、右側壁３、左側壁４及び天井６に配置された各照明用光源の最小単位毎（例えば、蛍光灯１本毎）に電流量を測定し、測定結果を光源監視部１３に出力する。測光センサは、正面壁２、右側壁３、左側壁４及び天井６に配置された各照明用光源の最小単位毎（例えば、蛍光灯１本毎）に発光量を測定し、測定結果を光源監視部１３に出力する。
【００６２】
次に、本実施形態における動作について説明する。
図１９を参照して、本実施形態における動作として、写真スタジオ装置１における制御動作の流れについて説明する。
【００６３】
写真スタジオ装置１の電源が投入されると、まず、プレゼンテーションモードでの給電制御が開始され（ステップＳ１）、撮影指示の待機状態となる（ステップＳ２）。撮影装置１７又は指示入力部１０により撮影開始が指示されると（ステップＳ２；ＹＥＳ）、撮影モードでの給電制御が開始される（ステップＳ３）。
【００６４】
次いで、光源監視部１３から、光源情報として、正面壁２、右側壁３、左側壁４及び天井６に配置された各照明用光源の電流量又は発光量の測定結果が入力され（ステップＳ４）、各照明用光源の発光状態に異常があるか否かが判定される（ステップＳ５）。ステップＳ５において、各照明用光源の発光状態が正常であると判定された場合（ステップＳ５；ＮＯ）、後述するステップＳ９に移行する。
【００６５】
ステップＳ５において、各照明用光源の発光状態に異常があると判定された場合（ステップＳ５；ＹＥＳ）、異常と判定された照明用光源への給電が遮断されるとともに（ステップＳ６）、当該照明用光源と配光バランス上対応する照明用光源への給電が遮断される（ステップＳ７）。例えば、正面壁２の１又は複数の蛍光灯が異常と判定された場合、ステップＳ７では、当該蛍光灯と左右対称な位置にある正面壁２の蛍光灯が消灯される。また、右側壁３の１又は複数の蛍光灯が異常と判定された場合、左側壁４の正対する蛍光灯（真向かいの蛍光灯）が消灯される。天井６の蛍光灯が異常と判定された場合、対応する蛍光灯がないため、異常と判断された蛍光灯のみが消灯される。この対応関係は、撮影空間の大きさや、撮影空間に配置される照明用光源の総数によっても変化するため、写真スタジオ装置１の設計を変更した場合、この対応関係を新たに作成し直す必要がある。
【００６６】
次いで、ステップＳ６及びＳ７で給電が遮断されることによって撮影空間の全体の光量が低下した分の露出量を補正するための第１の露出補正情報が生成される（ステップＳ８）。ステップＳ５において、各照明用光源の発光状態が正常であると判定された場合（ステップＳ５；ＮＯ）又はステップＳ８で第１の露出補正情報が生成されると、撮影空間に持ち込まれた撮影アクセサリに取り付けられたＩＤ情報発信部２０から、撮影アクセサリ情報が取得される（ステップＳ９）。
【００６７】
次いで、ステップＳ９で取得された撮影アクセサリ情報の撮影への影響度として、照度影響ポイント及び光質影響ポイントが記憶部１２から取得され、取得された照度影響ポイントの合算、光質影響ポイントの合算が行われる（ステップＳ１０）。次いで、撮影空間に持ち込まれた撮影アクセサリの影響が大きいか否か、即ち、ステップＳ１０で算出された照度影響ポイントの合算値、光質影響ポイントの合算値が予め設定された値より大きいか否かが判定される（ステップＳ１１）。
【００６８】
ステップＳ１１において、撮影アクセサリの影響が大きいと判定された場合（ステップＳ１１；ＹＥＳ）、撮影空間に持ち込まれた撮影アクセサリの撮影への影響を補正する情報である第２の露出補正情報が生成される（ステップＳ１２）。第２の露出補正情報は、具体的には、撮影アクセサリの影響によって撮影空間の光量の変化を補正するための露出補正量と、光の色調の変化を補正するための色調補正量を含む。
【００６９】
第１の露出補正情報及び第２の露出補正情報のうち、撮影空間全体の光量を補正するための露出補正量は、一般に写真で用いられる露光量測定単位であるＥｖ値の変化量として表せばよく、この場合、補正量の加算（後のステップＳ１３参照）は、単純な加算処理でよい。
【００７０】
色調補正量については、その色調補正量が、写真撮影時に用いる色調調整フィルタのうち、どの種類の色調調整フィルタの調整量に相当するかを予め求めておき、求められた色調調整フィルタの強度指標を第２の露出補正情報として用いればよい。色調調整フィルタには種々のものがあるが、撮影時の光質指標として用いる場合、光の相対色温度（即ち、青味、赤味の調整を行う）を補正するＬＢ（ライト・バランシング）フィルタと、相対色温度方向と直交する（即ち、マゼンタ味、グリーン味の調整を行う）ＣＣ（カラー・コンペンセイティング）フィルタとがあり、それぞれ、補正無しが０、補正が強くなるにしたがって大きな数値が付加されるので、付加される数値を補正量として用いればよい。例えば、若干のグリーン味を補正するときには、グリーンの反対色であるマゼンタ方向に色調を調整するＣＣ５Ｍフィルタを用い、より強いグリーン味を補正するときには、より強い色調調整力を有するＣＣ１０Ｍフィルタを用いることが考えられ、この場合の数値５や数値１０が補正量となる。これらの補正量には、例えば以下のように符号が定義されており、補正量の加算処理は、それぞれの軸で独立に行われる。
ＬＢ（青味方向への調整）：＋の値；
ＬＢ（赤味方向への調整）：−の値；
ＣＣ（マゼンタ方向への補正）：＋の値；
ＣＣ（グリーン方向への補正）：−の値．
ＬＢやＣＣの補正量の値は、撮影画像情報を元に推定してもよいが、両値を測定する測定器であるカラーメータが一般に市販されており、これらで予め測定すればよい。
【００７１】
ステップＳ１１において撮影アクセサリの影響が大きくないと判定された場合（ステップＳ１１；ＮＯ）又はステップＳ１２で第２の露出補正情報が生成されたら、第１の露出補正情報及び／又は第２の補正露出情報に基づいて、撮影空間の露出調整及び色調調整に必要な補正情報が決定される（ステップＳ１３）。第１の露出補正情報及び第２の露出補正情報が生成された場合、ステップＳ１３では、第１の露出補正情報と第２の露出補正情報を加算し、加算結果が補正情報として決定される。第１の露出補正情報と第２の露出補正情報の何れか一方が生成された場合、ステップＳ１３では、生成された露出補正情報が選択され、選択結果が補正情報として決定される。
【００７２】
次いで、ステップＳ１３で決定された補正情報が、撮影装置１７に対する機器調整分と、撮影画像（撮影により得られた画像）に対する画像処理調整分に分割される（ステップＳ１４）。一般に、撮影装置のシャッタースピードや絞りは、ある程度の最小単位（例えば、スチルカメラで一般的に用いられるＥｖ値で、１、１／２或いは１／３単位）での調整（大まかな調整）が可能である。一方、非常に微妙な調整が要求される撮影では、例えば、１／１０Ｅｖ単位での露光量調整が必要となる場合がある。ステップＳ１４では、撮影装置１７のシャッタースピードや絞りによる機械的調整（大まかな調整）を表す補正情報が、機器調整分の補正情報として決定され、微小な調整を表す補正情報は、撮影画像に対する画像処理調整分の補正情報として決定される。
【００７３】
画像処理調整分の補正情報は、撮影画像に対する画像処理条件を選択することによって決定される。図２０に、撮影画像を入力信号値としたトーンカーブを示す。カラー画像の場合、ＲＧＢの各々についてトーンカーブが定義されている。実際には、撮影画像を明るく調整するトーンカーブと、暗く調整するトーンカーブは、各々複数用意されており、それら複数のトーンカーブの中から、必要な露出補正に最も近いトーンカーブが画像処理条件として選択される。例えば、撮影画像を明るくする場合、露出補正量で１／１０Ｅｖ、２／１０Ｅｖ、３／１０Ｅｖの各々の補正量に相当するトーンカーブ（凸のカーブ）が用意されており、これらのトーンカーブのうち、必要な露出補正に最も近いトーンカーブが、画像処理条件として選択される。また、撮影画像を暗くする場合は、明るくする場合と同様に、凹のトーンカーブが複数用意される。なお、画像処理条件としてのトーンカーブを撮影者又は画像調整処理を行うオペレータが選択するようにしてもよい。
【００７４】
ステップＳ１４において、補正情報が機器調整分と画像処理調整分に分割されると、機器調整指示が表示部１１に表示され、図示しないスピーカから当該機器調整指示を示す音声案内メッセージが出力される（ステップＳ１５）。また、このとき。機器調整分の補正情報が撮影条件として撮影装置１７に設定される（ステップＳ１６）。
【００７５】
次いで、撮影装置１７により被写体（例えば、乳幼児）の撮影が行われ、撮影画像が取得され（ステップＳ１７）、取得された撮影画像が記憶部１２に保存される（ステップＳ１８）。ここで、撮影装置１７又は指示入力部１０により撮影終了が指示されると（ステップＳ１９；ＹＥＳ）、次ステップに移行し、終了指示が無ければ（ステップＳ１９；ＮＯ）、ステップＳ１７に戻り、撮影、撮影画像取得、撮影画像保存が繰り返される。
【００７６】
撮影終了が指示されると（ステップＳ１９；ＹＥＳ）、ステップＳ１４で得られた画像処理調整分の補正情報に基づいて、撮影画像に対して画像調整処理が施され（ステップＳ２０）、画像調整処理結果が出力される（ステップＳ２１）。画像調整処理結果が出力されると、プレゼンテーションモードでの給電制御に戻り（ステップＳ２２）、次の撮影指示まで待機状態となる。
【００７７】
このように、撮影空間の露光補正量及び色調補正量に基づいて、撮影装置１７に対する機械的調整によって大まかな調整を行い、撮影画像に対する画像処理調整によって微調整を行うことにより、容易に画質調整ができるとともに、高画質の画像を得ることができる。
【００７８】
なお、図１９のフローチャートでは、撮影空間に持ち込まれた撮影アクセサリの撮影への影響を補正する補正情報（撮影装置１７に対する撮影条件と、撮影画像に対する画像処理条件）を決定する場合を示したが、取得された照度影響ポイント及び光質影響ポイントに応じて、撮影空間に持ち込む撮影アクセサリを加減すると、露出や色調の調整が不要となる。
【００７９】
例えば、撮影空間に現在置かれている撮影アクセサリによって、色温度が低い方向にシフトした場合、撮影空間に、色温度が高くなるような撮影アクセサリを新たに持ち込むことによって、色温度の影響を相殺することができる。即ち、光質影響ポイントの総和が０になるように、撮影空間に持ち込む撮影アクセサリを加減すれば、光質の調整は不要となる。
【００８０】
また、図１９のフローチャートでは、撮影アクセサリに取り付けられたＩＤ情報発信部２０から撮影アクセサリ情報を自動的に取得するようにしたが、撮影者が目視で撮影アクセサリを確認して、対応する照度影響ポイント及び光質影響ポイントを取得するようにしてもよい。
【００８１】
また、図１９のフローチャートでは、ＩＤ情報発信部２０から取得された撮影アクセサリ情報に基づいて撮影空間の露出調整を行う場合を示したが、写真スタジオ装置１に、照度センサや光質センサを設け、撮影空間の照度、光質を自動的に検知し、検知結果に基づいて露出調整を行うようにしてもよい。この場合においても、撮影空間内の照度の変動に応じて、撮影装置１７のシャッタースピードや絞りを調整し、露出調整を促すメッセージを表示部１１に表示したり、図示しないスピーカから該当する音声案内メッセージを出力すればよい。また、撮影空間内の光質の変動に応じて、撮影装置１７のホワイトバランス（又はグレーバランス）の調整を促すメッセージを表示部１１に表示したり、図示しないスピーカから該当する音声案内メッセージを出力すればよい。
【００８２】
以上のように、本実施形態の写真スタジオ装置１によれば、開口部を有する開放的な写真スタジオ装置で、被写体が自由に動き回っても、安定した露出と良好な照明効果を得ることができる。
【００８３】
また、照明用光源からの光を拡散させる光源拡散部を用いることにより、光量配置を簡潔に行うことができる。特に、乳幼児や児童など、背丈の変化が大きい被写体の露出安定化に特段の効果を発揮する。
【００８４】
更に、照明用光源の調光機能により、非撮影時における照明用光源の発光量と室温上昇を抑えることができる。また、非撮影状態でも、ある程度の発光量を維持できるので、電源投入後、照明用光源が安定するまでの時間が短縮でき、撮影開始までの待ち時間が短縮される。また、調光状態を効果的に生かし、写真スタジオ装置１の外に向けた広告、営業告知効果が期待できる。
【００８５】
また、写真スタジオ装置１内に持ち込まれる各種撮影アクセサリが撮影に及ぼす影響度を事前に把握し、容易に対応することができる。更に、照度影響ポイント及び光質影響ポイントに基づいて、撮影条件に基づく大まかな調整と、画像処理条件に基づく微調整を行うことにより、高画質な画像を得ることができる。
【図面の簡単な説明】
【００８６】
【図１】本発明の実施形態に係る写真スタジオ装置の概略構成図。
【図２】撮影空間内での露出計による測定位置を示す図。
【図３】撮影空間内における撮影露出値の測定結果を示す図。
【図４】出入り口用の開口部を有する正面壁における照明用光源の配置例を示す図。
【図５】左側壁及び右側壁における照明用光源の配置例を示す図。
【図６】天井における照明用光源の配置例を示す図。
【図７】出入り口用の開口部を有する正面壁における照明用光源の配置例を示す図。
【図８】左側壁及び右側壁における照明用光源の配置例を示す図。
【図９】天井における照明用光源の配置例を示す図。
【図１０】照明用光源としてＬＥＤを用いたときの配置例を示す図。
【図１１】本実施形態の写真スタジオ装置において、複数種類の照明用光源を併用した場合の、各照明用光源の配置位置を示す図。
【図１２】写真スタジオ装置の制御系のブロック図。
【図１３】撮影アクセサリの一例とＩＤ情報発信部を示す図。
【図１４】蛍光灯を照明用光源とした場合の調光部のブロック図。
【図１５】ＬＥＤを照明用光源とした場合の調光部のブロック図。
【図１６】ＥＬ素子を照明用光源とした場合の調光部のブロック図。
【図１７】蛍光灯を照明用光源とした場合の発光強度パターンを示す図。
【図１８】ＬＥＤを照明用光源とした場合の発光強度パターンを示す図。
【図１９】写真スタジオ装置における制御動作の流れを示すフローチャート。
【図２０】画像調整処理時に適用されるトーンカーブを示す図。
【符号の説明】
【００８７】
１  写真スタジオ装置
２  正面壁
３  右側壁
４  左側壁
５  後部壁
６  天井
７ａ〜７ｎ、７１〜７５  直管蛍光灯
７６  電球型蛍光灯
７７、７８  丸管蛍光灯
８ａ〜８ｆ  光源拡散部
９ａ〜９ｌ  開閉部
１０  指示入力部
１１  表示部
１２  記憶部
１３  光源監視部
１４  撮影制御部
１５、１５ａ〜１５ｃ  給電制御部
１６  画像処理部
１７  撮影装置
１８  電流／光量測定部
２０  ＩＤ情報発信部
２１  調光駆動回路
２２  定電流制御回路
２３  定電圧制御回路
【図１】
2006317751.tif 000004
【図２】
2006317751.tif 000005
【図３】
2006317751.tif 000006
【図４】
2006317751.tif 000007
【図５】
2006317751.tif 000008
【図６】
2006317751.tif 000009
【図７】
2006317751.tif 000010
【図８】
2006317751.tif 000011
【図９】
2006317751.tif 000012
【図１０】
2006317751.tif 000013
【図１１】
2006317751.tif 000014
【図１２】
2006317751.tif 000015
【図１３】
2006317751.tif 000016
【図１４】
2006317751.tif 000017
【図１５】
2006317751.tif 000018
【図１６】
2006317751.tif 000019
【図１７】
2006317751.tif 000020
【図１８】
2006317751.tif 000021
【図１９】
2006317751.tif 000022
【図２０】
2006317751.tif 000023